(57)【要約】【課題】  簡便な構成でありながら、蓋端に隙間を生じさせるおそれがなく、安定して吊下げ可能としたプラスチック製、紙製などの容器を提供する。【解決手段】  正面板部１の上下に折れ線６，９を介して蓋片７，８と、差込み片１０，１１を連設し、上側の差込み片１０の面内中間部において、折れ線９から面内に適度に入った部位に、間隔ａを置いて平行した折れ線１４を形成し、この折れ線１４から差込み片先端方向に向かい上記間隔ａよりも長い長さを有したフック片１５を形成し、フック片の左右側縁と差込み片との区切りとして切断線１６を形成し、フック片に吊下げ孔１６を形成した構成を有して容器を形成した。【選択図】      図１
2005059896.tif 000002
【特許請求の範囲】
【請求項１】
蓋片端に折れ線を介して連設した差込み片の面内に入った部位に、折れ線を介してフック片を形成し、このフック片は折れ線で反転し容器外方に突出可能に形成してなる構成を有するフック片付き容器。
【請求項２】
フック片両側の差込み片との区画を分離可能に接続した切断線で形成してなる構成を有する請求項１に記載のフック片付き容器。
【発明の詳細な説明】
【技術分野】
【０００１】
本発明は、容器内に商品を収納した状態で吊下げ展示が可能なフック片付き容器に関する。
【背景技術】
【０００２】
容器の形成面と一体に吊下げ片を連設した構成の容器としては、例えば、図６（Ａ）のように、蓋片２１に連設した差込み片２２を背面２３内側に差込む構成の容器において、背面２３中央上端から上方に吊下げ片２４を延設した構成のもの（特許文献１参照）、或いは同（Ｂ）のように、蓋片３１の中央部に、蓋元端側の折れ線３２から先端付近に至る切裂き線３３で区画した切り起し片３４を形成した構成のもの（特許文献２参照）などが公知である。
【特許文献１】特開２０００−４７３５３号公報
【特許文献２】特開平１０−２３０９２４号公報
【発明の開示】
【発明が解決しようとする課題】
【０００３】
前者の背面２３中央上端から上方に吊下げ片２４を延設した構成のものは、背面を吊るので、被収納物の荷重が正面と左右側面と上下蓋面で構成される容器部分に掛かり、そのため図の矢視の如く正面側に引張り力が加わり、蓋面と背面間に隙間が生じて開き気味となり、塵埃が入りやすくなるとともに、展示品として見苦しい状態となるおそれがあった。
後者の蓋面に切り起し片３４を設けた構成のものは、蓋面に孔が開いてしまうか、この孔を塞ぐために二重蓋の如き構成を付加しなければならず、また被収納物の荷重により蓋先端側に隙間が生じるおそれはやはり解消されないものであった。
本発明は、上記問題点に着眼し、この問題点を解消すべく、簡便な構成でありながら、蓋端に隙間を生じさせるおそれがなく、安定して吊下げ可能とした容器を提供せんとするものである。
【課題を解決するための手段】
【０００４】
上記課題を解決するために、本発明は、蓋片端に折れ線を介して連設した差込み片の面内に入った部位に、折れ線を介してフック片を形成し、このフック片は折れ線で反転し容器外方に突出可能に形成した構成を有してフック片付き容器となしたことを特徴とする。
上記フック片両側の差込み片との区画は、分離した切込みとしてもよいが、両者を分離可能に接続した切断線、例えば断続切込み線、切裂き容易な溝条など、で形成した構成とするのがより一層好ましい。
【発明の効果】
【０００５】
本発明の容器は、化粧品や文具、小型玩具など、比較的軽量なものを収納するのに最適であり、フック片を吊下げ支持すれば、フック片に掛かる被収納物を含む容器の荷重は差込み片の面方向と略合致するので、蓋が差込み片の接する容器背面から離反する方向に引張られることがなく、差込み片はフック片の吊り下げ応力で背面側に接する傾向となり、蓋の差込み片沿いに隙間を生じさせない。差込み片は背面側に接し、さらには、容器は通常は蓋の両側に折込み片を形成してあって、これと差込み片の折れ線両側端部が噛み合うことから、荷重を受けてフック片が抜け外れるおそれもない。
【発明を実施するための最良の形態】
【０００６】
以下、本発明の実施形態を図面によって説明する。
図１〜５は一例の実施形態図であり、図１は容器の展開図、図２、３はフック片を突出させた部分図、図４、５はフック片を突出させない状態の部分図である。
図１は、直方体箱状の組立容器を形成するための容器として保形可能な剛性を有するプラスチック製或いは紙製などのシートであり、例えば、Ａ−ＰＥＴ、ポリプロピレン、ポリエチレン、ポリカーボネート、生分解性樹脂例えばポリ乳酸、その他の単体又は複合体としてなるプラスチック製シート材を加圧加工し、輪郭を打ち抜き加工し、或いは紙、合成紙、重合紙製シート材などを打ち抜き加工して形成してある。
【０００７】
このシートは、直方体箱の四側面を構成する正面板部１、両側の左右側面板部２、３、その一側の背面板部４及び糊代部５を、それぞれ折れ線（折曲げ罫線）６を介装して連設し、正面板部１の上下に折れ線６を介して蓋片７，８を連設し、両端部に切込み９ａを形成した折れ線９を介して蓋片７，８の先端に差込み片１０，１１を連設し、左右側面板部２，３の上下にはそれぞれ折れ線６を介して折込み片１２，１３を連設し、さらに、上側の差込み片１０の面内中間部において、折れ線９から面内に適度に入った部位に、上記折れ線９と間隔ａを置いて平行した折れ線１４を形成し、この折れ線１４から差込み片先端方向に向かい上記間隔ａよりも長い長さを有したフック片１５を形成し、フック片１５の左右側縁と差込み片１０との区切りとして切断線１６を形成し、フック片付け根側に上記間隔ａ以上の間隔を置いてフック片先端寄り面内に吊下げ孔１６を形成してなっている。
【０００８】
上記間隙ａは、折れ線形成に罫線刃を使用する場合、罫線刃を並設するために最小でも罫線刃の厚み分即ち０．７ｍｍ以上の巾が必要である。また、上記切断線１６は、分離した切裂き線として形成してもよいが、フック片１５と差込み片１０とを分離可能に接続した任意の筋条として形成するのが好ましく、例えば、分離した切裂き線の適宜個所を両片が分離容易なように点状に一体化してなる断続切込み線、或いは切裂き容易な溝条などとしてあれば、フック片１５と差込み片１０とを一枚板状に使用するときに両者がばらつかず、取扱いに便利である。
【０００９】
なお、本発明は図示直方体容器に限らず，その他の任意立体形状の容器に適用することができるものであり、また、上記フック片１５を上下の差込み片１０，１１のいずれか一方或いは両方に設けることも可能である。さらに、背面板部の上下端或いは右側面板部の開放側端などの任意の面から被収納物の保持片を延設しておき、容器を組立てた際に、該保持片を容器内に折込み配設する如き構成を付加するなどの構成は、本発明を変更することなく任意に付加可能である。
【００１０】
上記図示のシートは、各折れ線を内折れさせて立体化し、糊代片を接着すれば、箱形を得ることができ、被収納物を収納した上で、折込み片１２，１３を折込み、蓋片７，８を閉じつつ、差込み片１０，１１を背面板部４の内側に差込めば容器が完成するが、その際、切断線１６を分離してフック片１５を折れ線９で反転し、図２，３に示す如く差込み片１０に重ね合わせるとともに、差込み片の差込み方向と相反方向に突出させて、吊下げ孔１６を含むフック片１５を容器上方に突出させれば、これを利用して容器を吊下げることができる。なお、折り返したフック片１５と差込み片１０の重合部に係合用凹凸部を形成しておくことも可能である。
【００１１】
吊下げずに容器を用いる場合は、切断線１６を分離しなければ、フック片１５は差込み片１０と一体的につながっているので、一枚状の差込み片として取扱うことができ、図４，５の如く、容器内への差込みも容易であり、取扱いに煩わしさを生じさせることがない。また、不使用の吊下げ片を突出させたまま容器を使用しなくてよい構成であるので、容器の美感を良好に維持することができ、商品価値を良好に維持することができる。
【図面の簡単な説明】
【００１２】
【図１】本発明に係る容器の展開シート図である。
【図２】図１のシートを組立て、フック片を突出させた容器の部分斜視図である。
【図３】図２の縦断面図である。
【図４】図２のフック片を突出させない状態の容器の部分斜視図である。
【図５】図４の縦断面図である。
【図６】吊下げ容器の従来例を示すもので、（Ａ）は部分縦断面図、（Ｂ）は別例の部分斜視図である。
【符号の説明】
【００１３】
１      正面板部
２，３  左右側面板部
４      背面板部
５      糊代片
６      折れ線
７，８  蓋片
９      折れ線
９ａ    切込み
１０，１１  差込み片
１２，１３  折込み片
１４    折れ線
１５    フック片
１６    切断線
１７    吊下げ孔
ａ      間隙
【図１】
2005059896.tif 000003
【図２】
2005059896.tif 000004
【図３】
2005059896.tif 000005
【図４】
2005059896.tif 000006
【図５】
2005059896.tif 000007
【図６】
2005059896.tif 000008